(57)【要約】【課題】  床梁間に床版を架け渡す乾式の床構造において、水平ブレースを省いても十分な水平面剛性が得られ、重量床衝撃音についても実用的な遮音性能を確保できる床構造を提案する。【解決手段】  適宜間隔を隔てて対向配置された床梁（大梁）２、２の上に、所定幅の床版設置部４１と所定幅の床版非設置部４２とが互いに平行に、かつ交互に連続するように複数箇所ずつ設けられてなる補剛面材４を載架して床梁２に固定する。さらに、補剛面材４の床版設置部４１の上に床版５を載架し、隣接する床版５、５が床版非設置部４２を挟んで互いに離間するように固定する。それら床版５の上に床下地材６を敷設する。【選択図】  図４
2016033299.tif 000002
【特許請求の範囲】
【請求項１】
間隔を隔てて対向配置された少なくとも一対の床梁を含む床構面の上に、複数枚の床版が載架され、それら床版の上に床下地材が敷設される床構造において、
床版設置部と床版非設置部とが互いに平行に、かつ交互に連続するように複数箇所ずつ設けられてなる補剛面材が、前記一対の床梁の上に載架されて該床梁に対し固定され、
前記床版が、前記補剛面材の前記床版設置部の上に、隣接する床版との間に前記床版非設置部を挟んで互いに離間するように載架されて、前記補剛面材または前記床梁に対し固定されたことを特徴とする床構造。
【請求項２】
請求項１に記載の床構造において、
前記補剛面材は鋼板からなり、前記床版設置部は一様厚さの平坦な形状に形成される一方、前記床版非設置部は前記床版設置部よりも高い剛性を有するように形成されたことを特徴とする床構造。
【請求項３】
請求項２に記載の床構造において、
前記床版非設置部は該鋼板を波状に折曲して形成されてなることを特徴とする床構造。
【請求項４】
請求項２に記載の床構造において、
前記床版非設置部は該鋼板の上面に適宜の高さを有する鋼材を添設して形成されてなることを特徴とする床構造。
【請求項５】
請求項１〜４のいずれか１項に記載の床構造において、
前記補剛面材の床版非設置部と、該床版非設置部を挟んで対向する床版と、該床版の上に敷設される床下地材とによって囲まれる空隙内に消音部材が装入されたことを特徴とする床構造。
【請求項６】
軽量形鋼材を矩形に連結してなる枠体と、
床版設置部と床版非設置部とが互いに平行に、かつ交互に連続するように複数箇所ずつ設けられて前記枠体の上に固定された鋼板製の補剛面材と、
前記補剛面材の前記床版設置部の上に、隣接する床版との間に前記床版非設置部を挟んで互いに離間するように載架されて、前記補剛面材または前記枠体に対し固定されたＡＬＣ版からなる床版と、
前記床版および床版同士の離間部分の上に敷設される床下地材と、
を具備することを特徴とする床パネル。
【請求項７】
請求項６に記載の床パネルにおいて、
前記床版設置部は一様厚さの平坦な形状に形成される一方、前記床版非設置部は前記床版設置部よりも高い剛性を有するように形成されたことを特徴とする床パネル。
【請求項８】
請求項６または７に記載の床パネルにおいて、
前記補剛面材の床版非設置部と、該床版非設置部を挟んで対向する床版と、該床版の上に敷設される床下地材とによって囲まれる空隙内に消音部材が装入されたことを特徴とする床パネル。
【発明の詳細な説明】
【技術分野】
【０００１】
本発明は、主として鉄骨軸組構造からなる建物に適用可能な床構造および床パネルに関し、特に床構面の剛性向上と重量床衝撃音の低減に有効な床構造および床パネルに関するものである。
【背景技術】
【０００２】
従来一般の鉄骨軸組工法（軽量鉄骨材を主体とする鉄骨系プレハブ工法を含む。）に採用される乾式の床構造としては、所定の梁間距離を隔てて対向配置された床梁の上に、ＡＬＣ（発泡軽量コンクリート）版等からなる床版を架け渡し、該床版の端部を金具等によって床梁に固定する床構造がよく知られている（例えば、特許文献１、２等）。それら床版の上には、さらに適宜の床下地材や床仕上材等が敷設される。
【０００３】
また、その種の床構造において重量床衝撃音を効果的に低減する技術的手段として、特許文献３には、床梁の間に架け渡す床版同士の隣接箇所に鋼板等からなる剛体中立板を配設し、その剛体中立板と床版の端面との間にそれぞれ粘弾性体等からなる制振部材を介装する構成が提案されている。
【０００４】
さらに、本出願人も、特許文献４において、床梁の間に架け渡す床版の間に間隔を設けるとともに、床版と床梁とをあえて非固定状態にすることにより、重量床衝撃音の低減を図ることを提案している。
【０００５】
これら特許文献３、４に開示された技術的手段はともに、床全体の一体性をあえて低下させ、ひとつの床版に加わった衝撃が隣の床版に伝播しないように床の振動範囲を限定することにより、特に低周波数域の遮音性能を改善しようとしたものと解することができる。
【先行技術文献】
【特許文献】
【０００６】
【特許文献１】実開昭６４−３６４１２号公報
【特許文献２】特開平７−５４４２３号公報
【特許文献３】特開平２−２１０１３８号公報
【特許文献４】特開２００１−６５０９８号公報
【発明の概要】
【発明が解決しようとする課題】
【０００７】
前記従来のような床構造において床版を支持する軸組構面、つまり床梁や桁等の横架材によって囲まれる水平構面を、以下、「床構面」と呼ぶ。特許文献３、４に開示された床構造では、ＡＬＣ板等からなる床版と床構面とが強固に緊結されてはいないので、床構面に作用する水平力を床版に負担させることができない。したがって、これらの床構造では通常、床構面に水平ブレースを取り付けて水平面剛性を向上させることにより、構造計算上の「剛床仮定」を成立させている。
【０００８】
しかしながら、水平ブレースは、床版の下側（多くの場合は床構面を構成する床梁や桁よりも下側の位置）にＸ字状に取り付けられるため、床版の下方に各種の配管や配線を引き回したり吸音材等を取り付けたりする際の邪魔になりがちであり、また、水平ブレースそれ自体の緊結や調整にも手間がかかる。
【０００９】
本発明は、このような事情に鑑みてなされたものであり、床梁間に床版を架け渡す乾式の床構造において、水平ブレースを省いても十分な水平面剛性を得ることができ、かつ重量床衝撃音についても実用的な遮音性能を確保することのできる床構造および床パネルを提案するものである。
【課題を解決するための手段】
【００１０】
前述の目的を達成するために本発明の床構造が採用した構成は、間隔を隔てて対向配置された少なくとも一対の床梁を含む床構面の上に、複数枚の床版が載架され、それら床版の上に床下地材が敷設される床構造において、床版設置部と床版非設置部とが互いに平行に、かつ交互に連続するように複数箇所ずつ設けられてなる補剛面材が、前記一対の床梁の上に載架されて該床梁に対し固定され、前記床版が、前記補剛面材の前記床版設置部の上に、隣接する床版との間に前記床版非設置部を挟んで互いに離間するように載架されて、前記補剛面材または前記床梁に対し固定されたことを特徴とする。
【００１１】
この発明において、床構面を構成する床梁は、鉄骨材のほかに、集成材や、鉄骨材と集成材との複合部材等からなるものであってもよい。また、一つの床構面が異種類の部材を組み合わせて構成されていてもよい。
【００１２】
それら一対の床梁の上に補剛面材が載架されて、その補剛面材が床梁に固定されることにより、床構面の水平面剛性が確保される。補剛面材を床梁に固定する手段としては、溶接、ビス、ボルトナット、打ち込み鋲その他、水平力を伝達可能な適宜の結合手段を利用することができる。
【００１３】
この補剛面材には、床版設置部と床版非設置部とが、互いに平行に、かつ交互に連続するように複数箇所ずつ設けられている。そして、各床版設置部の上にそれぞれ床版が載架され、隣接する床版同士が床版非設置部の幅に相当する寸法だけ互いに離間した状態で、各床版が補剛面材または床梁に対し固定される。
【００１４】
この床版としては、コスト、重量、強度、施工性等の面においてＡＬＣ版が実用的であるが、これ以外にも、適度な強度および遮音性を備えた各種公知の材料からなるブロック状のパネル材を利用することができる。床版を補剛面材または床梁に固定する手段としては、接着剤、あるいはビスや専用金具その他の機械的手段によることができるが、補剛面材と床構面との固定手段よりは簡素であっても差し支えない。
【００１５】
そして、互いに離間して固定された床版の上面に、それらの全体を覆うようにして床下地材が敷設され、さらにその上に適宜の床仕上材を張設するなどして床面が仕上げられる。床下地材としては、合板やパーティクルボード等の木質系面材、あるいはこれに類する各種公知の床下地材であって、少なくとも互いに離間して隣接する複数枚の床版にわたって載置可能な大きさの板状材料を適宜、利用することができる。
【００１６】
このように、床構面に補剛面材を固定し、さらに補剛面材における床版設置部の上に床版を載架して補剛面材を押えることにより、補剛面材が外力によって面外方向へ逃げるのを防ぐことができる。その結果、床構面全体として、水平ブレースがなくても高い水平面剛性および耐荷重強度を得ることができる。
【００１７】
また、隣接する床版同士を離間させることにより、特許文献４に記載された公知の構成と同様に、ひとつの床版に加わった衝撃が隣の床版に伝播しないように床の振動範囲を限定することができる。しかも、本発明の構成によれば、隣接する床版同士の離間部分から下方に伝わる衝撃についても、該離間部分の下面を塞ぐ補剛面材によって遮断される。これらの相乗効果により、特に低周波数域における遮音性能に関しては、床版を隙間なく載架した床構造と同程度の性能を確保することができる。
【００１８】
さらに、隣接する床版同士を離間させることにより、床版を隙間なく載架した床構造に比べて、一つの床構面の上に載架すべき床版の全体量も減らすことができる。これは、床版の材料コスト、運搬費用および施工手間の削減につながり、施工性の向上におおいに寄与する。
【００１９】
補剛面材については、鋼板からなるものとするのが実用的である。さらに、この補剛面材は、床版設置部については一様厚さの平坦な形状となす一方、床版非設置部については床版設置部よりも高い剛性を有するように形成するのが好ましい。より具体的には、一枚物の鋼板を波状に折曲するか、あるいは、該鋼板の上面に適宜の高さを有する別体の鋼材を添設するなどして床版非設置部を形成することができる。これにより、少ない材料コストおよび加工コストで補剛面材の剛性を向上させることができる。その結果、補剛面材に過大な水平力が作用した場合でも、補剛面材が面外方向（上下方向）に膨らんだり捻じれたりしにくくなる。
【００２０】
さらに、本発明は、前記のように構成される床構造において、床版同士の離間部分、つまり補剛面材の床版非設置部と、該床版非設置部を挟んで対向する床版と、該床版の上に敷設される床下地材とによって囲まれる空隙内に、消音部材が装入された構成とすることもできる。この構成において、補剛面材は、消音部材の受け材になる。このようにして床版同士の離間部分を消音部材で塞ぐことにより、離間部分から下方に伝わる衝撃音の大きさを、さらに低減させることができる。
【００２１】
消音部材については、丈夫で柔軟な適宜の袋体に無機質材の粉粒体を充填してなるものが好ましい。この粉粒体は、衝撃の振動が加わったときに、その反作用で反対向きに動いて振動を打ち消すカウンターウエイトとして働く。基本的には、強い振動に対しては質量の大きい粉粒体が作用し、細かい振動に対しては質量の小さい粉粒体が作用するので、粉粒体の形状や大きさを不揃いにすると、幅広い性状の衝撃（振動）に対する消音効果（制振効果）が得られる。そのような粉粒体として、具体的には、廃瓦や廃煉瓦の粉砕物などを特に好適に利用することができる。
【００２２】
また、本発明の床パネルは、軽量形鋼材を矩形に連結してなる枠体と、床版設置部と床版非設置部とが互いに平行に、かつ交互に連続するように複数箇所ずつ設けられて前記枠体の上面に固定された鋼板製の補剛面材と、前記補剛面材の前記床版設置部の上に、隣接する床版との間に前記床版非設置部を挟んで互いに離間するように載架されて、前記補剛面材または前記枠体に対し固定されたＡＬＣ版からなる床版と、前記床版および床版同士の離間部分の上に敷設される床下地材と、を具備するものとして特徴づけられる。
【００２３】
このように、複数種類の構成部材をあらかじめパネル状に先組みすることにより、床構面と補剛面材との固定、補剛面材と床版との固定、床下地材の敷設、といった現場での施工手間を大幅に省力化することができる。
【００２４】
先組み加工するこの床パネルについても、補剛面材の床版設置部は一様厚さの平坦な形状となす一方、床版非設置部は床版設置部よりも高い剛性を有するように形成するのが好ましい。
【００２５】
また、補剛面材の床版非設置部と、該床版非設置部を挟んで対向する床版と、該床版の上に敷設される床下地材とによって囲まれる空隙内にあらかじめ消音部材を装入しておくことにより、さらに施工性を向上させることができる。
【発明の効果】
【００２６】
上述のように構成される本発明の床構造は、床構面の上に、床版設置部と床版非設置部とが交互に設けられてなる補剛面材が固定され、さらにその床版設置部の上に床版が固定されるように構成されているので、補剛面材の面外方向への逃げが拘束されて、高い水平面剛性および耐荷重強度が得られる。特に、補剛面材の床版設置部を一様厚さの平坦な形状となし、床版非設置部を床版設置部よりも高い剛性を有するように形成した場合には、その効果が一層増大する。これにより、水平ブレースを省くことができ、床構面の内側や下側のスペースを活用しやすくなる。
【００２７】
また、補剛面材の上に載架する床版同士が互いに離間して、床の一体性を低下させるように構成されているので、床版に加わった衝撃が横方向に伝播しにくくなる。さらに、隣接する床版同士の離間部分の下面も補剛面材により塞がれて縦方向への伝播も遮断されることから、特に重量床衝撃音に対する優れた遮音性能が得られる。
【００２８】
床版同士の離間部分は、各種配線・配管のためのスペースとして有効に利用することができるが、この離間部分に消音部材を装入することにより、遮音性能を一層、向上させることもできる。
【００２９】
また、隣接する床版同士が離間していることにより、床版を隙間なく載架した床構造に比べて、一つの床構面の上に載架される床版の全体量も少なくなる。つまり、床版の幅を小さくしたり、枚数を減らしたりすることにより、床版の材料コスト、運搬費用および施工手間を大きく削減することができる。
【図面の簡単な説明】
【００３０】
【図１】本発明の第１実施形態に係る床構造の分解斜視図である。
【図２】前記床構造の組み付け状態を示す斜視図である。
【図３】前記床構造の部分側面図である。
【図４】本発明の第２実施形態に係る床構造の分解斜視図である。
【図５】前記床構造の組み付け状態を示す斜視図である。
【図６】前記床構造の部分側面図である。
【図７】本発明の第３実施形態に係る床構造の部分側面図である。
【図８】本発明の第４実施形態に係る床構造の部分側面図である。
【図９】本発明の床パネルの実施形態を示す分解斜視図である。
【図１０】前記床パネルの組み付け状態を示す斜視図である。
【発明を実施するための形態】
【００３１】
以下、本発明の実施形態について図を参照して説明する。
【００３２】
（床構造）
図１〜図３は、本発明の第１実施形態に係る床構造を示す。例示の形態にかかる床構造は、例えば鉄骨構造躯体の一部を構成する平面視略矩形の床構面１に設けられている。床構面１は、適宜間隔を隔てて対向配置された長辺方向の床梁（以下、「大梁」と称す。）２、２と、それらと直交するように適宜間隔を隔てて対向配置された短辺方向の床梁（以下、「小梁」と称す。）３、３とによって囲まれている。例示の形態では、大梁２、２の対向間隔が概ね２ｍ前後、小梁３、３の対向間隔が概ね４ｍ前後に設定され、大梁２および小梁３のいずれにも同一断面寸法のＨ形鋼が用いられている。ただし、床構面１の形状・寸法は例示の形態から適宜改変されてもよく、また、大梁２および小梁３には鉄骨材（軽量鉄骨または重量鉄骨）のほか、例えば集成材や、鉄骨材と集成材との複合部材等が利用されてもよい。
【００３３】
この床構面１の上に、該床構面１の少なくとも過半領域（好ましくは略全体）を覆うようにして、平面視略矩形の補剛面材４が載架される。補剛面材４は、厚さ０．８〜１．５ｍｍ程度（実用的には１．２ｍｍが好適）の鋼板からなり、所定幅の床版設置部４１と、所定幅の床版非設置部４２とが、互いに平行に、かつ補剛面材４の長辺方向に沿って交互に連続するように形成されている。例示の形態では、床版設置部４１の幅が３０ｃｍ前後、床版非設置部４２の幅が２０ｃｍ前後に設定されている。この補剛面材４が一対の大梁２の上に載架され、補剛面材４の周縁部が、大梁２および小梁３の上フランジ等に対し、溶接、ビス、ボルトナット、打ち込み鋲その他、水平力を伝達可能な適宜の結合手段を用いて固定される。
【００３４】
こうして床構面１に固定された補剛面材４の床版設置部４１の上に床版５が載架される。床版５には、適度な強度および遮音性を備えた各種公知の材料からなるブロック状のパネル材が利用される。例示の形態では、床パネルにＡＬＣ版を利用することを想定しているが、これ以外にも例えば、プレキャストコンクリート版や押出成形セメント板、その他適宜のセメント質原料を繊維質原料や金属製線材等で補強して板状に硬化させた各種窯業系パネル、レジンコンクリート等を成形するなどした樹脂系パネル、等が利用可能である。
【００３５】
床版５は、あらかじめ補剛面材４の床版設置部４１の幅に合わせた長矩形状に形成されて、床版設置部４１の上に載架され、接着剤やビス等の手段を用いて補剛面材４または大梁２に対し固定される。これにより、隣接する床版５との間には、補剛面材４の床版非設置部４２の幅に相当する離間部分が形成されることとなる。
【００３６】
床版５の上には、床下地材６が、互いに離間する床版５の上面全体を覆うようにして敷設され、接着剤やビス等を用いて床版５に固定される。床下地材６としては各種公知の板状材料やシート状材料が利用可能であるが、コスト、強度、施工性等の面において合板やパーティクルボードが実用的である。さらに、床下地材６の上に適宜の床仕上材（図示せず）を張設するなどして床面が仕上げられる。
【００３７】
このように、床構面に補剛面材を固定し、さらに補剛面材における床版設置部４１の上に床版を載架して補剛面材を押えることにより、補剛面材４が外力（特に地震等の水平力）によって面外方向へ逃げるのを防ぐことができる。その結果、床構面１全体として高い水平面剛性および耐荷重強度を得ることができ、水平ブレースを省くことが可能になる。
【００３８】
また、隣接する床版５、５同士を離間させることにより、ひとつの床版５に加わった衝撃が隣の床版５に伝播しないように床の振動範囲を限定することができる。さらに、隣接する床版５、５同士の離間部分から下方に伝わる衝撃も、該離間部分の下面を塞ぐ補剛面材４によって遮断される。これらの相乗効果により、特に低周波数域における床衝撃音に対して好ましい遮音性能を確保することができる。
【００３９】
さらに、隣接する床版５、５同士を離間させることにより、床版５を隙間なく載架した床構造に比べて、一つの床構面１の上に載架すべき床版５の全体量を減らすことができる。その結果、床版５の材料コスト、運搬費用および施工手間を削減して施工性を向上させることができる。
【００４０】
また、図３に示すように、床版５、５同士の離間部分を利用して、床版非設置部４２と床下地材６とによって囲まれる空隙内に消音部材７を装入することができる。このとき、補剛面材４は、消音部材７の受け材になる。消音部材７としては、適宜の袋体に、例えば廃瓦や廃煉瓦の粉砕物など、無機質材の粉粒体を充填してなるものを好適に利用することができる。このような粉粒体は、衝撃の振動に対するカウンターウエイトとして振動の反対向きに動くことにより振動を打ち消す作用をなす。基本的には、強い振動に対しては質量の大きい粉粒体が作用し、細かい振動に対しては質量の小さい粉粒体が作用するので、粉粒体の形状や大きさを不揃いにすることにより、幅広い性状の衝撃に対する消音効果が得られる。また、無機質の材料は、経年変化が少なく耐久性に優れ、解体時に再利用しやすいという利点も有する。このように、床版５、５同士の離間部分を消音部材７で塞ぐことにより、離間部分から下方に伝わる衝撃音の大きさを、さらに低減させることができる。
【００４１】
本発明の床構造において、床版５の幅寸法（補剛面材４における床版設置部４１の幅）と床版５、５同士の離間距離（同、床版非設置部４２の幅）とのバランスについては、実際の床構面１の大きさや設計モジュール、各部材の一般的な寸法規格等に応じて柔軟に設定されればよい。具体的には、例えば厚さ１０ｃｍのＡＬＣからなる床版５を想定したとき、床版５の幅が３０〜６０ｃｍで、床版５、５同士の離間距離が１０〜３０ｃｍくらいになるのが実用的である。床版５自体の幅が少なくとも３０ｃｍ以上ないと、個々の床版５が十分な耐荷重強度を発揮できない。また、床版５の幅に対して離間距離が大きすぎると、離間部分の上に敷設される床下地材６への荷重を支持するのが困難になって、床下地材６自体の厚みを必要以上に大きくしなければならなくなる。反対に、離間距離が小さすぎると、衝撃音の伝播を防ぐ効果が損なわれるとともに、施工性を向上する効果も小さくなる。これらを総合的に考慮すると、床版５、５同士の離間距離が床版５の厚み以上であり、かつ、床版５、５同士の離間距離が床版５の幅寸法を超えないくらいのバランスを目安として床版５が配置されることが好ましい。なお、ひとつの床構面１に配置される全ての床版５の幅寸法および床版５、５同士の離間距離が、それぞれ統一されている必要は特にない。
【００４２】
図４〜図６は、本発明の第２実施形態に係る床構造を示す。例示の形態にかかる床構造は、補剛面材４の構成が第１実施形態とは相違しているが、それ以外は第１実施形態と共通なので、共通する部分については説明を省略する。
【００４３】
この実施形態における補剛面材４は、第１実施形態の床版設置部４１に相当する部位が、一様厚さの平坦な形状となされる一方、第１実施形態の床版非設置部４２に相当する部位が、床版設置部４１よりも高い剛性を発揮するように形成されている。
【００４４】
より具体的には、補剛面材４は厚さ０．８〜１．５ｍｍ程度（実用的には１．２ｍｍが好適）の鋼板からなり、この鋼板を部分的に折曲加工して、床版設置部４１の上面側に側面視矩形波状（略ハット状）の起伏を３〜４ｃｍの高さで３ヶ所程度、立ち上げることにより床版非設置部４２が形成されている。そして、第１実施形態と同様に、床版設置部４１の幅が３０ｃｍ前後、床版非設置部４２の幅が２０ｃｍ前後に設定され、これら床版設置部４１と床版非設置部４２とが互いに平行に、かつ補剛面材４の長辺方向に沿って交互に連続するように形成されている。この補剛面材４が、床構面１の少なくとも過半領域（好ましくは略全体）を覆うようにして一対の大梁２の上に載架され、補剛面材４の周縁部が、大梁２および小梁３の上フランジ等に対し、溶接、ビス、ボルトナット、打ち込み鋲その他、水平力を伝達可能な適宜の結合手段を用いて固定される。
【００４５】
そして、図６に示すように、床版５、５同士の離間部分を利用して、床版非設置部４２と床下地材６とによって囲まれる空隙内に消音部材７が装入される。消音部材７の構成も第１実施形態と同様である。
【００４６】
図７および図８は、それぞれ本発明の第３実施形態および第４実施形態に係る床構造であって、補剛面材４に設けられる床版非設置部４２の変形例を示している。これらの形態はいずれも、平坦な鋼板４０の上面に、該鋼板４０とは別体の鋼材を、補剛面材４の短辺方向（紙面奥行き方向）に連続するように添設して床版非設置部４２を構成したものである。
【００４７】
図７に示した第３実施形態では、Ｌ字形の断面を有する一対の鋼材４３、４３を向かい合わせにして、鋼板４０の上面に添設することにより、補剛用リブとなしている。添設する鋼材４３の高さは床版５の厚さの半分程度で、床版非設置部４２の幅は、第１実施形態および第２実施形態よりもやや狭くなっている。この鋼材４３は、床版設置部４１の上に床版５を載架する際の位置決め用ガイドにもなる。
【００４８】
図８に示した第４実施形態では、下縁両側に張出片を有する台形ハット状の鋼製折板４４を、鋼板４０の上面に添設して床版非設置部４２となしている。折板４４の高さは床版５の厚さと揃えられており、この折板４４の天面部でも床下地材６を支持するようにして、その分、床版非設置部４２の幅を拡げている。折板４４の天面部と床下地材６とは、一般的な接合手段によって接合されてもよいし、接合されなくてもよい。
【００４９】
これらの形態以外にも、平坦な鋼板４０に適宜の高さを有する様々な断面形状の鋼材を添設したり、鋼板４０自体に適宜の高さを有する波状（矩形波、台形波、三角波、正弦波その他の規則的または不規則的な山谷形状）の起伏を折曲形成したりすることにより、床版非設置部４２となすことができる。鋼板４０に鋼材４３や折板４４を添設するに際しては、溶接あるいはビス、ボルトナット、打ち込み鋲その他、水平力を伝達可能な適宜の結合手段を利用することができる。さらに、床版５、５同士の離間部分に設けられる適宜の空間（例えば、図７、図８中に想像線で囲んだ空間）には、第１、第２実施形態と同様に消音部材７を装入することができる。
【００５０】
また、床版設置部４１についても、図示は省くが、床版５の載置を妨げない程度の小さいリブやエンボスを形成したり、鋼製の帯板を張り重ねたりするなどして、剛性を高めるようにしてもよい。その場合、床版５の底面には、床版設置部４１の表面形状に応じた凹凸等を形成するのが好ましい。
【００５１】
（床パネル）
図９および図１０は、本発明の床パネル１０の実施形態を示す。例示の形態にかかる床パネル１０は、例えば鉄骨構造躯体の一部を構成する床構面（図示せず）等に組み付けられるもので、平面視矩形の枠体２０と、枠体２０の上に固定された補剛面材４と、補剛面材４の上に固定された床版５と、床版５の上に敷設される床下地材６とを具備する。
【００５２】
枠体２０は、例えば溝形断面を有する長短各一対の軽量形鋼材を、該溝形断面の開口側を内側に向けて矩形に連結することにより形成されている。枠体２０の四隅は、溶接、ビス、ボルトナット、打ち込み鋲その他の手段を用いて固定されている。例示の形態にかかる枠体２０の大きさは、長辺が４ｍ前後、短辺が２ｍ前後である。ただし、枠体２０の形状・寸法は例示の形態から多少改変されてもよい。また、枠体２０を構成する軽量形鋼材には、Ｈ形断面、Ｌ形断面、角形閉断面その他の部材が利用されてもよい。
【００５３】
補剛面材４は、前述の床構造を構成する補剛面材４と同様に、所定幅の床版設置部４１と、所定幅の床版非設置部４２とが互いに平行に、かつ交互に連続するものとして構成される。例示形態では、厚さ１．２ｍｍ前後の平坦な鋼板を部分的に折曲加工して剛性を高めるための起伏を形成することにより、床版設置部４１と床版非設置部４２とが形成されている。例示形態にかかる床版設置部４１の幅は３０ｃｍ前後、床版非設置部４２の幅は２０ｃｍ前後で、床版非設置部４２には側面視矩形波状の起伏が３〜４ｃｍの高さで３ヶ所程度、床版設置部４１の上面側に立ち上げられている。この補剛面材４が枠体２０の略全体を覆うようにして枠体２０の上に載架され、補剛面材４の周縁部が枠体２０に対し、溶接、ビス、ボルトナット、打ち込み鋲その他、水平力を伝達可能な適宜の結合手段を用いて固定される。
【００５４】
床版５は、例えばＡＬＣ板からなり、あらかじめ補剛面材４の床版設置部４１の幅に合わせた長矩形状に形成されて、床版設置部４１の上に載架され、接着剤やビス等の手段を用いて補剛面材４または枠体２０に対し固定される。隣接する床版５との間には、床版非設置部４２の幅に相当する離間部分が形成される。
【００５５】
床下地材６は、例えばパーティクルボードや合板等からなり、互いに離間する床版５の上面全体を覆うようにして床版５の上に敷設され、接着剤やビス等を用いて床版５に固定される。
【００５６】
さらに、図示は省くが、前記した床構造と同様に、床版５、５同士の離間部分を利用して、その空隙内に消音部材７が装入される。
【００５７】
このようにしてあらかじめ枠組みされた床パネル１０を施工現場に搬入して躯体に組み付けることにより、剛性および遮音性に優れた床構造を効率よく施工することができる。
【符号の説明】
【００５８】
１  床構面
２  大梁（床梁）
３  小梁
４  補剛面材
４１  床版設置部
４２  床版非設置部
４３  鋼材
４４  折板
５  床版
６  床下地材
７  消音部材
１０  床パネル
２０  枠体
【図１】
2016033299.tif 000003
【図２】
2016033299.tif 000004
【図３】
2016033299.tif 000005
【図４】
2016033299.tif 000006
【図５】
2016033299.tif 000007
【図６】
2016033299.tif 000008
【図７】
2016033299.tif 000009
【図８】
2016033299.tif 000010
【図９】
2016033299.tif 000011
【図１０】
2016033299.tif 000012